(57)【特許請求の範囲】
【請求項１】
携帯式武器の銃床のための迅速連結具であって、
携帯式武器の銃床に取りつけられる、該携帯式武器の要素に係合する手段を備えた弾性変形可能な本体を有し、該弾性変形可能な本体が、弾性変形しない位置と弾性変形する位置とを有し、前記弾性変形可能な本体が、前記弾性変形する位置で前記携帯式武器の前記要素に係合すること、そして、
当該弾性変形可能な本体と当該銃床との間に配置される調節要素であって、前記弾性変形可能な本体に対して、したがって当該携帯式武器の要素に対して、前記銃床のドロップとキャストとを決定するのに適した調節要素を有すること、
を特徴とする迅速連結具。
【請求項２】
当該係合手段が不完全ねじ部によって構成されることを特徴とする請求項1に記載の連結具。
【請求項３】
当該弾性変形可能な本体が、環状本体によって構成されるアセンブリから成り、該環状本体が弾性要素によって軸方向要素に取りつけられ、該軸方向要素が前記銃床に強固に取りつけられることを特徴とする請求項1に記載の連結具。
【請求項４】
当該環状本体が、当該係合手段を構成するおねじを切った部分と、弾性手段を構成する一つ以上の皿ばねを収容するのに適した内部空洞と、当該軸方向要素を構成する円筒形心合わせシャンクとから成り、前記皿ばねがナットによって前記心合わせシャンクに取りつけられ、前記ナットが、外部延長部を有して、前記皿ばねおよび前記環状本体の内部を通っており、分割リングが前記外部延長部に取りつけられていることを特徴とする請求項3に記載の連結具。
【請求項５】
当該心合わせシャンクが中空であり、めねじを有し、該めねじが当該銃床に強固に取りつけられたねじ付きピンに係合するのに適していることを特徴とする請求項4に記載の連結具。
【請求項６】
当該皿ばねによって当該心合わせシャンクに取りつけられる当該環状本体によって構成される当該アセンブリが集成されたとき、前記ねじ付きピボットへの前記心合わせシャンクの簡単なねじ込みを可能にするために、前記皿ばねに予荷重が与えられていないことを特徴とする請求項5に記載の連結具。
【請求項７】
当該本体が、当該銃床に強固に連結された心合わせ要素によって、前記銃床に取りつけられることを特徴とする請求項6に記載の連結具。
【請求項８】
心合わせ要素が目的に合わせた輪郭を有するプレートから成り、該プレートはねじによって当該銃床に取りつけられ、前記プレートが、当該環状本体の円筒形部分を収容するのに適した円形心合わせ受け座と、前記プレートを前記銃床に強固に連結する前記ねじの先端部を収容する受け座とを有することを特徴とする請求項7に記載の連結具。
【請求項９】
当該銃床に強固に連結され、当該本体が前記銃床に使用されたときに前記本体に形成される溝に係合するのに適した定位ピンを有し、該定位ピンが、前記銃床に強固に連結される当該目的に合わせた輪郭を有するプレートに対しての前記本体の集成のための可能な単一の位置を定めるようになっていることを特徴とする請求項8に記載の連結具。
【請求項１０】
当該弾性変形可能な本体と当該銃床との間に配置された当該調節要素が目的に合わせた輪郭を有する接合プレートによって構成されることを特徴とする請求項9に記載の連結具。
【請求項１１】
当該接合プレートが、当該銃床が武器の照準線に対して有すべきドロップとキャストとに対して個別的に決定される厚さを有することを特徴とする請求項10に記載の連結具。
【請求項１２】
当該接合プレートの当該厚さが、該接合プレートの中心孔を通る前記垂直軸と水平軸との両方に関して変えられることを特徴とする請求項11に記載の連結具。
【請求項１３】
当該接合プレートが二つの溝を有し、これらの溝のそれぞれが、前記接合プレートを二つの位置で取りつけることができるように当該銃床に強固に連結された前記定位ピボットを収容するのに適しており、前記溝の一つが、前記銃床上で他の溝に対して傾斜して、前記銃床が武器の照準線に対して持つべきキャストを、前記接合プレートにより、変えられるようになっていることを特徴とする請求項12に記載の連結具。
【発明の詳細な説明】
【技術分野】
【０００１】
本発明は、迅速連結具、特に携帯式武器の銃床のための迅速連結具に関する。
【背景技術】
【０００２】
携帯式武器の銃身延長部または尾筒(receiver)に銃床を連結する機構は、すでに古くから公知であり、該システムにおいては、一般に銃床に取りつけられてからねじまたはナットによって武器に固定されるプレートによって、前記機構の傾斜(trim)を変えることもできる。
【０００３】
ドロップ(drop)とキャスト(cast)とを決定する一つ以上のプレートは、一般に、銃床と、銃床が取りつけられる武器の要素との間に配置され、また、固定プレートは、一般に、銃床内部の武器の延長部を構成する、ねじまたはナットによって銃床に取りつけられる管または引張り要素(tension member)に取りつけられる。
【０００４】
これらの機構は、一般に、かなり複雑で高価であり、武器の使用時にその分解には特殊な工具と技術とが必要であり、最初に与えられたドロップとキャストとを変更するとき、また保守と清掃を行うときのどちらにおいても、前記工具と技術とが必要である。
【０００５】
実際、交換を行う場合、厳密には連結機構に属さない、武器のいくつかの部品を分解する必要がある。たとえば、床尾板、床尾板固定ねじ、および固定板の支持体として使用されている銃床内部のなんらかの要素を分解する必要がある。
【発明の開示】
【発明が解決しようとする課題】
【０００６】
本発明の包括的目的は、前記先行技術の欠点を有しない迅速連結具を提供することである。
【０００７】
この包括的目的の範囲内で、本発明の一つの個別目的は、特殊な工具の必要なしで分解でき、武器への取りつけに際して銃床に選択されたドロップとキャストとを自動的に与える、携帯式武器の銃床のための迅速連結具を提供することである。
【０００８】
本発明のもう一つの個別目的は、厳密には迅速連結機構に属さない、武器または銃床の他の要素の分解の必要なしで、単一の要素を交換するだけで、銃床の傾斜を変えることができるようにすることである。
【課題を解決するための手段】
【０００９】
前記包括的目的および個別目的ならびに以下でよりはっきりするその他の目的は、
迅速連結具、特に携帯式武器の銃床のための迅速連結具であって、
携帯式武器の銃床に取りつけられる、該携帯式武器の要素に係合する手段を備えた弾性変形可能な本体を有し、該弾性変形可能な本体が、弾性変形しない位置と弾性変形する位置とを有し、前記弾性変形可能な本体が、前記弾性変形する位置で前記携帯式武器の前記要素に係合すること、
を特徴とする迅速連結具、
によって達成される。
【００１０】
本発明の好ましい実施形態においては、携帯式武器の銃床のための迅速連結具が、環状本体を有し、該環状本体が、おねじを切った部分と、銃床の心合わせのための円筒形ステムとを有し、該円筒形ステムが、ナットによって取りつけられた皿ばねを収容するのに適した内部空洞を有し、該ナットが、延長外部シャンクを備え、該シャンクが前記皿ばねと前記本体の内部を通過し、本体から突き出た前記ナットの外側シャンクの部分に取りつけられるスナップリングによる集成ができるようになっている。
【００１１】
アセンブリが集成されたとき、皿ばねは、まだ予荷重が与えられておらず、簡単な集成を可能にし、かつ、対応するねじ付きピンまたは銃床に取りつけられた引張り要素へのナットのねじ込みを容易にするようになっている。
【００１２】
本発明の携帯式武器の銃床のための迅速連結具は、また、該迅速連結具の係合要素を構成する前記本体の円筒形部分が収容される銃床に直接取りつけされるねじ付きピンをも有する。
【００１３】
本体の円筒形部分が正しく銃床に位置合わせされるように、目的に合わせた輪郭を有する(contoured)プレート上で位置合わせされる。このプレートは、ねじとナットによって銃床に固定され、コンパクトで硬質の構造物を与えるようになっており、この構造物は、銃床が技術用ポリマー(technopolymer)製の場合、銃床上に目的に合わせた輪郭を有するプレートに重ね成形することによっても製造することができる。
【００１４】
迅速連結具の本体と武器に取りつけられている銃床の前面との間には、いろいろな形状のプレートを取りつけることができる。したがって、これらのプレートは相互に交換可能であり、皿ばねの強い圧縮により銃床のドロップとキャストとを保証する。この強力な圧縮は、迅速連結具全体が銃床の前面にねじ込まれたときに、得られる。
【００１５】
皿ばねは、迅速連結具を備えた銃床全体が回転により連結受け座が備えられた武器の部分に係合して、各種要素の連結許容差によって生じる銃床の小さな自由運動がなくなるようにされたときに、さらに圧縮される。
【００１６】
迅速連結具の連結受け座を包囲する、銃身延長部または尾筒に備えられた、武器の前面は、銃床のドロップとキャストを決定するために備えられた相互交換可能なプレートに接合し、そのドロップとキャストの特性を、銃床を武器に強固に固定することなく、銃床に伝えることができる。
【００１７】
したがって、発射に際して、武器の反跳の運動エネルギーにより、迅速連結具の皿ばねがさらに圧縮される。しかし、このとき、銃床のドロップとキャストとに対する影響はないが、運動エネルギーが射手の肩に放出される前に、さらに一部が散逸される。
【００１８】
本発明の携帯式武器の銃床のための迅速連結具は、基準のしるし、たとえばピンまたはスロットを備え、迅速連結具全体が、係合する武器の界面に対して正しい方位に銃床に取りつけられることが保証され、連結具回転が完了したときに、武器への銃床全体の正しい取りつけが達成されるようになっている。
【発明を実施するための最良の形態】
【００１９】
その他の特徴および利点は、以下の、添付の図面に示す本発明の好ましい非排他的実施形態の説明からさらに明らかになるであろう。この実施形態は単なる例であり、本発明を限定するものではない。
【００２０】
添付の図面に示すように、本発明の迅速連結具は、ねじ付き部分2、銃床に対する心合わせのための円筒形シャンク(shank)3、および皿ばね5のための内部受け座4を備えた環状本体1から成る。
【００２１】
取りつけナット6は、シャンク7を備え、該シャンクは、皿ばね5と環状本体1の内部を通過し、スナップリング8による皿ばね5の環状本体1への集成を確実にする。スナップリング8は、取りつけナット6の受け座9と係合する。該受け座は、取りつけナット6のシャンク7の後端に備えられている。
【００２２】
図2からよくわかるように、環状本体1は、集成の困難さを有しない。というのは、集成された装置全体は、依然として皿ばね5とナット6とを軸方向の遊び10によって自由に動けるように保持しているからである。この遊びは、環状本体1の肩面11とスナップリング8との間に確保される。
【００２３】
したがって、図1からわかるように、集成された環状本体1の全体は、少なくとも初期ステップにおいては、銃床14に取りつけられた引張り要素13のねじ付きシャンク12に自由にねじ込むことができる。
【００２４】
好ましくは、心合わせプレート15をも備える。これには、本体1の円筒形シャンク3のための円形心合わせ受け座16とねじ19の頭18のための受け座17との両方を与えるための成形がなされている。ねじ19は、ねじ19のねじ付き端21を自己ロックナット20に強くねじ込むことによりロックされたとき、心合わせプレート15を銃床14に強固に連結する。
【００２５】
図2に示すように集成される本体1のねじ付き部分2は、定位ピン22によって銃床14に対して正しく配向される。定位ピン22は、本体1に成形された溝23を通るように銃床14に取りつけられている。
【００２６】
溝23は、定位ピン22と完全に組み合わさって、本体1の円筒形心合わせシャンク3が心合わせプレート15の内部受け座16と係合して、可能な単一集成位置を定めるようになっている。
【００２７】
本発明による迅速連結具は、接合プレート24から成る調節要素によって、銃床14に、武器の照準線に対する特定のドロップとキャストとを与える可能性を与える。
【００２８】
図3に示す接合プレート24は、中心孔25、二つの溝26、およびスロット27を備えている。
【００２９】
プレート24の厚さ28は、銃床14が武器の照準線に対して持つべきドロップとキャストとに応じて、好都合なように決定される。
【００３０】
したがって、プレート24の厚さ28は、中心孔25を通る垂直軸と水平軸とに関して考えた場合、異なっている。これは、プレート24の垂直軸上で考えた点29と30のそれぞれ、およびプレートの水平軸上で考えた点31と32のそれぞれ、を見ることにより、はっきりわかるであろう。
【００３１】
言い換えると、プレート24の点29と30の間に見られる厚さの違いによって決定される傾斜は、現行のシステムでも普通に使用される銃床14のドロップ値の一つに対応する、ということができる。
【００３２】
プレートの点29と30の厚さの違いによって決定される傾斜値が異なる複数のプレート24を用意することにより、それぞれの使用者の通常の要求に合わせて、銃床14のいろいろなドロップ値を得ることが可能である。
【００３３】
同様に、プレート24の点31と32との間に見られる厚さの違いによって決定される傾斜は、武器の銃身軸に対する銃床14の所定水平キャスト値に対応する。
【００３４】
この値は、通常、銃床14が取りうるいろいろなドロップ値にかかわらず、一定であり、したがって、武器に随意に備えられるすべてのプレートは、それぞれの点31と32との間で同じ厚さの違いを有する。
【００３５】
各プレート24は、二つの溝26を備え、二つの異なる位置の定位ピン22によって、位置合わせすることができる。一つの位置は図1に示すものであり、もう一つは、これをプレートの垂直軸のまわりに180゜まわして裏返すことによって得られるものである。このとき、第一のケースでは、武器の照準線に対して、銃床14の所定の右キャストが与えられ、第二のケースでは、銃床14の同様の左キャストが与えられる。
【００３６】
プレート24によって与えられる銃床14のドロップとキャストは、本発明の携帯式武器の銃床ための迅速連結具の全体が図4に示すように集成されたときに、決定される。図4は、銃床14にねじ込まれた引張り要素13、ねじ19によって銃床14に収容され固定された心合わせプレート15、自己ロックナット20、銃床14と環状本体1と間に配置されたプレート24を備えたシステム全体を示す。環状本体1は、図2に示すように集成され、定位ピン22に沿う溝23によって配向される。環状本体1はナット6によって引張り要素13のねじ付きステム12上に完全にねじ込まれ、皿ばね5の圧縮を、銃床14、プレート24、および環状本体1の間の完全な連結が確保されるように、定める。
【００３７】
したがって、明らかに、ナット6のねじをゆるめることにより、図2に示すように集成された環状本体1をとりはずすことができ、プレート24を交換または裏返してから、ふたたびナット6をねじ込んで、銃床の異なるドロップまたはキャストを得ることができる。
【００３８】
本発明の迅速連結具を取りつけた銃床は、この実施形態の場合、武器の銃身延長部33に取りつけられる。
【００３９】
図5に模式的に示すように、迅速連結具を取りつけた銃床14を集成するためには、銃床14を外装または銃身延長部33の近くに配置するだけで十分である。銃身延長部33は、後端内部に、ねじ付き部分34を有し、この部分34は、環状本体1に備えられた同様のねじ付き部分2にねじ込むのに適している。
【００４０】
銃身延長部33内に環状本体1の全体を挿入することにより、ねじ込みは迅速に実行される。この挿入時には、ねじ付き部分2が凹部35と整列するように注意する。この凹部も、銃身延長部33の内部に備えられている。前記整列を簡単に得るためには、銃床36のピストル型の握りを武器の垂直軸に対して横断位置すなわち90゜に保ち、それから環状本体1のねじ付き部分2と外装または銃身延長部33のそれぞれのねじ付き部分34とをねじ込んで連結する。このねじ込みにおいて、銃床の回転運動は、前記凹部35の端部37に対する定位ピン22の接触によって自動的に定まる最終回転位置を有する。
【００４１】
迅速連結具を取りつけた銃床14は、回転が完了し、銃床36のピストル型握りが武器の垂直軸と整列すると、図6に示すように、武器に正しく取りつけられたことになる。
【００４２】
この位置において、プレート24は、外装または銃身延長部33に強固に連結する。なぜならば、本体1のねじ付き部分2を外装または銃身延長部33のねじ付き部分34にねじ込み連結することにより、皿ばね5のさらなる圧縮が起こり、それによって、銃床14の外装または銃身延長部33への連結が十分に維持され、各種要素の機械加工許容差による連結遊びがすべてなくなるからである。
【００４３】
したがって、このようにして、プレート24に与えられるドロップとキャストは、武器の銃床14に伝えられ、銃床は、武器の照準線に対する所定のドロップ値と所定のキャスト値とを有する状態で、取りつけられる。
【００４４】
前記のような集成配置において、皿ばね5は、まだ最大圧縮の点まで達しておらず、したがって発射に際して、武器の反跳の運動エネルギーは、銃床のドロップとキャストに有意の影響を与えることなく、さらに皿ばね5を圧縮することができ、したがってこのエネルギーは、射手の肩に対して放出される前に一部が散逸されるだけである。
【００４５】
銃床14が意図せずにねじがゆるめられて、武器への集成の正しい位置からずれることを防ぐために、プレート24には、スロット27が備えられ、該スロットに、武器のガード(guard)または尾筒39の後端38を合わせることができる。
【００４６】
図7は、完全に集成された機構全体を示し、ガードまたは尾筒39の後端38が完全にプレート24のスロット27に挿入されている。
【００４７】
本発明は、実際に、意図した包括的目的と個別目的とを達成するということがわかった。すなわち、携帯式武器の銃床のための迅速連結具が提供され、この連結具は、ドロップとキャストの調節の容易さ、および武器集成と保守のスピードに関する技術的な構成の簡単さにより、相当の利点を与える。
【００４８】
本発明の迅速連結具は、また、銃床を武器に取りつけたときに、自動的にドロップとキャストとを決定することを可能にする。
【００４９】
本発明の迅速連結具のもう一つの利点は、どの携帯式武器にも簡単に取りつけることができ、また武器への連結を、当該武器の外装または銃身延長部と、当該武器の尾筒その他の通常の要素とのどちらに対しても行うことができる、ということである。
【００５０】
連結点は、必要に応じて変えることができる。すなわち、銃床が使用される携帯式武器の設計および構造的特徴に合わせて変えることができる。
【００５１】
プレートの交換可能性により、同一の銃床を、武器に取りつけて、使用者の要求に合わせてドロップとキャストとを変えることができる。この目的のために、いろいろなドロップおよびキャスト傾斜を有するプレートを製造して、使用者に提供することができる。したがって、使用者は、その要求に適した一つ以上のプレートを自由に選ぶことができる。
【００５２】
本発明のもう一つの利点は、武器の使用に際して、発射時に、武器の反跳の運動エネルギーにより、銃床のドロップとキャストとに影響を与えることなく、連結具の皿ばねがさらに圧縮され、運動エネルギーが射手の肩に対して解放される前に一部が散逸されうる、ということである。
【００５３】
本出願は、イタリア特許出願第MI2007A001472号明細書(2007年7月20日提出)の優先権を主張するものである。同明細書の記載事項を参照されたい。
【図面の簡単な説明】
【００５４】
【図１】本発明による、携帯式武器の銃床のための迅速連結具の分解斜視図である。
【図２】組み立てられた状態の環状本体の拡大斜視断面図である。
【図３】銃床のドロップとキャストを変えるためのプレートの拡大斜視図である。
【図４】本発明による迅速連結具の斜視断面図であり、迅速連結位置にある武器の銃床に取りつけられた状態で示してある。この迅速連結位置は、銃床が正しく武器に取りつけられて、迅速連結具が外装または銃身延長部に備えられた迅速連結具の受け座に連結されたときにとる位置に対応する。
【図５】本発明の迅速連結具の斜視図であり、武器の外装または銃身延長部に備えられた迅速連結具の受け座に迅速連結具が入る位置に、武器の銃床が取りつけられるところである。
【図６】本発明の迅速連結具の斜視断面図であり、迅速連結位置にある武器の銃床に取りつけられているところである。集成前のステップが示されており、迅速連結具が、外装または銃身延長部に備えられた迅速連結具の受け座にねじ込まれており、尾筒またはガードは集成前のステップにある。
【図７】迅速連結具の斜視断面図であり、迅速連結位置にある武器の銃床に取りつけられているところである。迅速連結具が外装または銃身延長部にねじ込まれており、尾筒またはガードは完全に集成されている。
【符号の説明】
【００５５】
1  本発明の迅速連結具の環状本体
2  ねじ付き部分
3  円筒形シャンク
4  内部受け座
5  皿ばね
6  取りつけナット
7  シャンク
8  スナップリング
9  受け座
10  軸方向の遊び
11  肩面
12  ねじ付きシャンク
13  引張り要素
14  銃床
15  心合わせプレート
16  円形心合わせ受け座
17  受け座
18  19の頭
19  ねじ
20  自己ロックナット
21  ねじ付き端
22  定位ピン
23  溝
24  接合プレート
25  中心孔
26  二つの溝
27  スロット
28  24の厚さ
29  24の垂直軸上の点
30  24の垂直軸上の点
31  24の水平軸上の点
32  24の水平軸上の点
33  銃身延長部
34  ねじ付き部分
35  凹部
36  銃床
37  35の端部
38  39の後端
39  ガードまたは尾筒
【図１】
0005362278.tif 000002
【図２】
0005362278.tif 000003
【図３】
0005362278.tif 000004
【図４】
0005362278.tif 000005
【図５】
0005362278.tif 000006
【図６】
0005362278.tif 000007
【図７】
0005362278.tif 000008